(57)【特許請求の範囲】
【請求項１】
プラントに分散配置された複数のフィールド機器で生成されるプロセスデータをデータ収集センターにリモート収集すると共に、巡視者が所定の順路で前記フィールド機器を巡視し、五感情報を収集する巡視点検システムにおいて、
前記フィールド機器は、前記巡視者による五感情報の正常チェック情報及び異常チェック情報を前記プロセスデータと共に前記データ収集センターにリモート送信するデータ合成手段を備えることを特徴とする巡視点検システム。
【請求項２】
前記フィールド機器は、前記五感情報における異常チェック情報の種類を選択可能な五感情報処理手段を備えることを特徴とする請求項１に記載の巡視点検システム。
【請求項３】
前記フィールド機器は、前記巡視者が携帯する携帯端末と通信し、前記五感情報を前記携帯端末より取得することを特徴とする請求項１または２に記載の巡視点検システム。
【請求項４】
前記データ収集センターは、前記複数のフィールド機器より収集される五感情報データに基づき、前記巡視者の巡視抜けを監視して警報する巡視点監視手段を備えることを特徴とする請求項１乃至３のいずれかに記載の巡視点検システム。
【請求項５】
前記データ収集センターは、前記複数のフィールド機器より収集される五感情報データに基づき、所定の閾値を超える異常情報を警報する五感異常監視手段を備えることを特徴とする請求項１乃至４のいずれかに記載の巡視点検システム。
【請求項６】
前記フィールド機器より前記データ収集センターにリモート収集されるデータは、無線手段によることを特徴とする請求項１乃至５のいずれかに記載の巡視点検システム。
【請求項７】
前記携帯端末は、前記フィールド機器と通信し前記データ合成手段の出力情報を取得し、前記データ収集センターにリモート送信する手段を備えることを特徴とする請求項３に記載の巡視点検システム。
【発明の詳細な説明】
【技術分野】
【０００１】
本発明は、プラントに分散配置された複数のフィールド機器で生成されるプロセスデータをデータ収集センターにリモート収集すると共に、巡視者が所定の順路で前記フィールド機器を巡視し、五感情報を収集する巡視点検システムに関するものである。
【背景技術】
【０００２】
図３は、従来の巡視点検システムの構成例を示す機能ブロック図である。プラントの設置現場Ｐ１乃至Ｐ５に分散配置された複数のフィールド機器１０乃至５０は、夫々がリモート通信のための無線モジュールを備えている。
【０００３】
複数のフィールド機器１０乃至５０の夫々で生成されるプロセスデータは、リモート通信Ｒ１乃至Ｒ５で上位装置であるデータ収集センター６０に送信される。更に、複数のフィールド機器１０乃至５０は、上位装置からの指令や設定を受信する。無線モデムを備えたフィールド機器については、特許文献１に技術開示がある。
【０００４】
データ収集センター６０は、全体機能を管理するＣＰＵ６１、フィールド機器１０乃至５０からのリモート通信Ｒ１乃至Ｒ５と通信するリモート無線モジュール６２、リモート通信されるデータを処理するデータ処理手段６３、受信データを所定期間保存するデータ保存手段６４、受信データのトレンド等からプロセスの異常診断を実行する診断手段６５、診断結果に基づいて警報ＡＬを外部出力する警報処理手段６６よりなる。
【０００５】
このように、一般的なプロセスデータはリモート通信でデータ収集センター６０にリアルタイムに収集して一括処理することが可能であるが、人間の五感でしかセンスできない、例えば異音、異臭、発煙、発熱、振動等の異常は、巡視者が定期的に各フィールド機器の設置現場を巡視して情報収集する、人間介在のシステムが採られている。
【０００６】
巡視者１は、チェックシート２と巡回ルートが記載された地図３を携帯し、フィールド機器１０乃至５０の設置現場Ｐ１乃至Ｐ５を巡視し、五感チェックの結果をチェックシート２に記入し、巡視終了時に記入済みのチェックシート２を管理者４に提出する。
【０００７】
管理者４は、巡視者１から提出されたチェックシートを確認して承認し、所定期間保存する。五感異常に関しては、チェックシートによる確認では対応が遅れてしまう場合があるので、巡視者は巡視現場で緊急対応を要する異常をチェックした場合には、携帯電話等の通信手段により管理者４に通知する。
【先行技術文献】
【特許文献】
【０００８】
【特許文献１】特開２００３−１３４０３０号公報
【発明の概要】
【発明が解決しようとする課題】
【０００９】
従来の巡視点検システムでは、次のような問題がある。
（１）巡視者１が設置現場Ｐ２のフィールド機器２０をチェックした後、やや遠隔の次の設置現場Ｐ３のフィールド機器３０に巡視すべきところ、すぐ近くの設置現場Ｐ４のフィールド機器４０にスキップし、フィールド機器３０の巡視未実施を気づかずに、異常なしのチェックをチェックシート２に記入して管理者４に渡した場合に、フィールド機器３０の巡視抜けをチェックできる仕組みがない。
【００１０】
（２）五感情報収集が、チェックシート２への記入情報によるシステムでは、異常情報の収集にリアルタイム性が欠如する。緊急の場合の電話連絡システムでは、管理者４が常駐している必要があり、プロセスデータのリモート収集、自動管理システムに対して人間介在システムであり、ミスの発生や対応の遅れが発生しやすい。
【００１１】
本発明の目的は、巡視者の巡視ミスの監視及び五感異常情報のリアルタイム収集を自動的に実施できる巡視点検システムを実現することにある。
【課題を解決するための手段】
【００１２】
このような課題を達成するために、本発明は次の通りの構成になっている。
（１）プラントに分散された複数のフィールド機器で生成されるプロセスデータをデータ収集センターにリモート収集すると共に、巡視者が所定の順路で前記フィールド機器を巡視し、五感情報を収集する巡視点検システムにおいて、
前記フィールド機器は、前記巡視者による五感情報の正常チェック情報及び異常チェック情報を前記プロセスデータと共に前記データ収集センターにリモート送信するデータ合成手段を備えることを特徴とする巡視点検システム。
【００１３】
（２）前記フィールド機器は、前記五感情報における異常チェック情報の種類を選択可能な五感情報処理手段を備えることを特徴とする（１）に記載の巡視点検システム。
【００１４】
（３）前記フィールド機器は、前記巡視者が携帯する携帯端末と通信し、前記五感情報を前記携帯端末より取得することを特徴とする（１）または（２）に記載の巡視点検システム。
【００１５】
（４）前記データ収集センターは、前記複数のフィールド機器より収集される五感情報データに基づき、前記巡視者の巡視抜けを監視して警報する巡視点監視手段を備えることを特徴とする（１）乃至（３）のいずれかに記載の巡視点検システム。
【００１６】
（５）前記データ収集センターは、前記複数のフィールド機器より収集される五感情報データに基づき、所定の閾値を超える異常情報を警報する五感異常監視手段を備えることを特徴とする（１）乃至（４）のいずれかに記載の巡視点検システム。
【００１７】
（６）前記フィールド機器より前記データ収集センターにリモート収集されるデータは、無線手段によることを特徴とする（１）乃至（５）のいずれかに記載の巡視点検システム。
【００１８】
（７）前記携帯端末は、前記フィールド機器と通信し前記データ合成手段の出力情報を取得し、前記データ収集センターにリモート送信する手段を備えることを特徴とする（３）に記載の巡視点検システム。
【発明の効果】
【００１９】
本発明によれば、次のような効果を期待することができる。
（１）各フィールド機器の正常または異常の五感情報を、プロセスデータと共にリモート送信するので、データ収集センターで五感情報の入力抜けを監視することにより巡視抜けを自動的に警報することが可能である。
【００２０】
（２）各フィールド機器の正常または異常の五感情報を、プロセスデータと共にリモート送信するので、データ収集センターで五感異常をリアルタイムで自動的に警報することができ、上位装置による迅速な対応が可能となる。
【００２１】
（３）本発明の巡視システムでは、巡視者は設置現場のフィールド機器に対して五感情報の入力作業をすればよく、チェックシート等の紙の媒体は不要となる。また異常情報はデータ収集センターで自動的にリモート収集されるので、管理者の常駐も必要なくなる。
【図面の簡単な説明】
【００２２】
【図１】本発明を適用した巡視点検システムの一実施例を示す機能ブロック図である。
【図２】本発明を適用した巡視点検システムの他の実施例を示す機能ブロック図である。
【図３】従来の巡視点検システムの構成例を示す機能ブロック図である。
【発明を実施するための形態】
【００２３】
以下本発明を、図面を用いて詳細に説明する。図１は、本発明を適用した巡視点検システムの一実施例を示す機能ブロック図である。図３で説明した従来構成と同一要素には同一符号を付して説明を省略する。
【００２４】
設置現場Ｐ１乃至Ｐ５に配置される本発明が適用されたフィールド機器１００乃至５００は、図３で説明したフィールド機器１０乃至５０に対応する。同じく本発明が適用されたデータ収集センター６００は、図３で説明したデータ収集センター６０に対応する。
【００２５】
フィールド機器１００乃至５００は、夫々リモート無線モジュールを備え、各フィールド機器で生成されるプロセスデータは、リモート通信Ｒ１乃至Ｒ５で上位装置であるデータ収集センター６００に送信すると共に、上位装置からの指令や設定を受信する。
【００２６】
本発明が適用された各フィールド機器の機能構成を、フィールド機器１００を代表として説明する。ＣＰＵ１０１、プロセスデータ生成手段１０２、プロセスデータの表示手段１０３、リモート無線モジュール１０４の機能構成は、従来のフィールド機器１０乃至５０が備える機能構成と同一である。
【００２７】
本発明で追加される機能構成は、五感情報表示・処理手段１０５、表示された五感情報を選択して決定する操作ボタン１０６、選択された五感情報データとプロセスデータ生成手段１０２で生成されたプロセスデータとを合成してリモート無線モジュール１０４に渡すデータ合成手段１０７である。
【００２８】
五感情報表示・処理手段１０５は、巡視者１の操作ボタン１０６で呼び出されて表示され、巡視者１の操作ボタン１０６の操作で五感情報が選択される。選択可能な五感情報は、正常及び一般的な五感異常情報並びにそのフィールド機器固有の五感異常情報、例えば「モータ異音」等である。選択された五感情報は、操作ボタン１０６の操作で確定される。
【００２９】
確定された五感情報データは、データ合成手段１０７に渡され、プロセスデータと合成（プロセスデータに追記）され、リモート無線モジュール１０４によるリモート通信Ｒ１を介してデータ収集センター６００に送信される。他のフィールド機器２００乃至５００の構成も同様である。
【００３０】
データ収集センター６００において、ＣＰＵ６０１、リモート無線モジュール６０２、データ処理手段６０３、データ保存手段６０４、診断手段６０５の構成は、図３に示したデータ収集センター６０におけるＣＰＵ６１、リモート無線モジュール６２、データ処理手段６３、データ保存手段６４、診断手段６５の構成要素と同一機能構成である。
【００３１】
本発明で追加される機能構成は、データ処理手段６０３より分離出力される各フィールド機器の五感情報データを取得する巡視点監視手段６０６及び五感異常監視手段６０７並びにこれら監視手段６０６，６０７の出力と診断手段６０５の出力を入力して警報情報ＡＬを外部出力する警報処理手段６０８の構成である。
【００３２】
巡視点監視手段６０６は、巡視者１の所定の巡回点検ルーチンにおいてフィールド機器１００乃至５００からのリモート送信データ中に五感情報データが欠如しているフィールド機器があった場合には、このフィールド機器への巡視が実行されていないものと判断し、警報処理手段６０８に判断結果を渡す。
【００３３】
五感異常監視手段６０７は、各フィールド機器からリモート送信される五感情報データ中に異常を示すデータがあった場合に、それが所定の閾値を超えている異常発生のフィールド機器及び異常内容を特定して警報処理手段６０８に渡す。
【００３４】
警報処理手段６０８は、巡視点監視手段６０６からの巡視点監視情報、五感異常監視手段６０７からの五感異常監視情報、診断手段６０５からのプロセスデータ診断情報を入力処理し、上位装置等に警報情報ＡＬを外部出力し、必要な対応処理を実行させる。
【００３５】
図２は、本発明を適用した巡視点検システムの他の実施例を示す機能ブロック図であり、フィールド機器１００を代表として示している。図１の実施例との相違は、巡視者１による五感情報の入力手法にある。この実施例では、フィールド機器１００には直接アクセスせず、巡視者１が携帯する携帯端末７００によりフィールド機器１００と無線によるローカル通信ＲＬを介して五感情報を入力する。
【００３６】
フィールド機器１００側では、ローカル無線モジュール１０８及びこのローカル無線モジュールを介して携帯端末７００側から取得される五感情報を処理してデータ合成手段１０７に渡す五感情報処理手段１０９を備える。
【００３７】
ローカル無線モジュール１０８は、フィールド機器側のリモート無線モジュール１０４が故障の場合に、必要に応じて、データ合成手段１０７の出力をローカル通信ＲＬで携帯端末７００に返す機能を備える。
【００３８】
携帯端末７００は、五感情報表示手段７０１、表示された五感情報の選択及び決定のための操作ボタン７０２、フィールド機器１００のローカル無線モジュール１０８とローカル通信（ＲＬ）するローカル無線モジュール７０３を備える。
【００３９】
更に、必要に応じて、フィールド機器１００側から返される五感情報及びプロセス情報をデータ収集センター６００にリモート通信（Ｒ１´）するためのリモート無線モジュール７０４を備える。尚、リモート無線モジュール７０４は、携帯端末７００とは別の遠距離無線通信専用の携帯端末に持たせる構成でもよい。
【００４０】
携帯端末７００によるローカル通信を利用すれば、フィールド機器１００側には操作用のボタン等を設ける必要がなく、硫化水素雰囲気、塩害、防爆環境下で稼動するフィールド機器への本発明の適用に有効である。
【００４１】
携帯端末７００としては、短距離（数センチメートル）の無線機能を有する低消費電力の電子ペーパー、Ｆｅｒｉｃａ等の近距離通信機能、Ｗｉｍａｘ等の近距離通信機能を利用することで容易に実現することがが可能である。
【符号の説明】
【００４２】
１  巡視者
１００  フィールド機器
１０１  ＣＰＵ
１０２  プロセスデータ生成手段
１０３  表示手段
１０４  リモート無線モジュール
１０５  五感情報表示・処理手段
１０６  操作ボタン
１０７  データ合成手段
１０８  ローカル無線モジュール
１０９  五感情報処理手段
２００〜５００  フィールド機器
６００  データ収集センター
６０１  ＣＰＵ
６０２  リモート無線モジュール
６０３  データ処理手段
６０４  データ保存手段
６０５  診断手段
６０６  巡視点監視手段
６０７  五感異常監視手段
６０８  警報処理手段
７００  携帯端末
７０１  五感情報表示手段
７０２  操作ボタン
７０３  ローカル無線モジュール
７０４  リモート無線モジュール
【図１】
0005585350.tif 000002
【図２】
0005585350.tif 000003
【図３】
0005585350.tif 000004